(57)【要約】      （修正有）【課題】ただ一つの用具のみで鍋中の汁に味噌を容易かつ確実に混ぜ合わせることができる味噌混ぜ器を提供する。【解決手段】汁に味噌を混ぜ合わせる味噌混ぜ器１であって、人の手で把持可能で中空部を有する取っ手２と、取っ手２と同軸を成してその取っ手２の中空部に基端部側が差し込まれる中心軸３と、取っ手２の中空部に設けられてその取っ手２の軸線方向の往復運動を中心軸３の軸線回りの回転運動に変換する螺子機構７と、中心軸３の先端部に設けられる撹拌部４とを備える。撹拌部４は、線条体を屈曲形成してなる撹拌子１７を中心軸３の軸線回りに放射状に配置してなり、撹拌子１７に、撹拌部４の回転方向と直交する方向で撹拌部４の内側に環状の味噌保持部１７ｄを設けるものとする。【選択図】図１
0003179069.tif 000002
【実用新案登録請求の範囲】
【請求項１】
汁に味噌を混ぜ合わせる味噌混ぜ器であって、
人の手で把持可能で中空部を有する取っ手と、
前記取っ手と同軸を成してその取っ手の中空部に基端部側が差し込まれる中心軸と、
前記取っ手の中空部に設けられてその取っ手の軸線方向の往復運動を前記中心軸の軸線回りの回転運動に変換する螺子機構と、
前記中心軸の先端部に設けられる撹拌部とを備え、
前記撹拌部は、線条体を屈曲形成してなる撹拌子を前記中心軸の軸線回りに放射状に配置してなり、
前記撹拌子に、前記撹拌部の回転方向と直交する方向で前記撹拌部の内側に環状の味噌保持部を設けることを特徴とする味噌混ぜ器。
【請求項２】
前記中心軸の先端が、前記撹拌部の先端位置よりも突出されている請求項１に記載の味噌混ぜ器。
【考案の詳細な説明】
【技術分野】
【０００１】
本考案は、味噌を溶きほぐして汁に混ぜ合わせる味噌混ぜ器に関するものである。
【背景技術】
【０００２】
従来、例えば味噌汁を作る際には、味噌が収容されている容器からしゃもじ等で味噌をかき出し、濾具に入れて箸などで撹拌しつつ鍋中の汁に溶かし込んだり、あるいは別容器に入れた味噌の塊に出汁を少しずつ加えてのばし、濾具で濾してこれを煮鍋に加えたりしていた。
【０００３】
味噌汁は家庭などにおいて毎日のように作られているが、その都度、味噌を容器や袋からかき出した後、塊状の味噌を溶きほぐして液状にするなどの手間を要している。
また、味噌をかき出すためのしゃもじや、溶きほぐすための濾具、箸等の各種の器具の使い分けが必要となり、面倒かつ煩雑なものとなる。
【０００４】
上記の問題を解決し得るものとして、例えば特許文献１にて提案されている味噌溶き具がある。
【先行技術文献】
【特許文献】
【０００５】
【特許文献１】特許第３４３８８８３号公報
【０００６】
この特許文献１に係る味噌溶き具は、取っ手の下端より下方にＵ字型で先端部が相互に交差するアワ立器状の針金枠を備えてなるものである。この味噌溶き具においては、針金枠の部分で適量の味噌をかき取り、かき取った味噌をその針金枠の部分を使って溶くようにされている。したがって、しゃもじや濾具、箸等の器具を使用することなく、容易に味噌を溶きほぐして汁に混ぜ合わせることができる。
【０００７】
しかしながら、上記の味噌溶き具では、針金枠が単にＵ字型の線条体の組み合わせによって構成されているため、針金枠でかき取った味噌を鍋中の汁の中で直接かき混ぜてしまうと、味噌を十分に保持することができずに、隣接する線条体の間から味噌が塊状で脱落してしまう恐れがあるという問題点がある。
このため、針金枠でかき取った味噌を一旦お玉の中に落とし、お玉の中で針金枠を利用して味噌を溶くようにされている。したがって、味噌汁を作るにあたって、味噌溶き具の他に、お玉は必要なものとなる。
【考案の概要】
【考案が解決しようとする課題】
【０００８】
本考案は、前述のような問題点に鑑みてなされたもので、ただ一つの用具のみで鍋中の汁に味噌を容易かつ確実に混ぜ合わせることができる味噌混ぜ器を提供することを目的とするものである。
【課題を解決するための手段】
【０００９】
前記目的を達成するために、本考案による味噌混ぜ器は、
汁に味噌を混ぜ合わせる味噌混ぜ器であって、
人の手で把持可能で中空部を有する取っ手と、
前記取っ手と同軸を成してその取っ手の中空部に基端部側が差し込まれる中心軸と、
前記取っ手の中空部に設けられてその取っ手の軸線方向の往復運動を前記中心軸の軸線回りの回転運動に変換する螺子機構と、
前記中心軸の先端部に設けられる撹拌部とを備え、
前記撹拌部は、線条体を屈曲形成してなる撹拌子を前記中心軸の軸線回りに放射状に配置してなり、
前記撹拌子に、前記撹拌部の回転方向と直交する方向で前記撹拌部の内側に環状の味噌保持部を設けることを特徴とするものである（第１考案）。
【００１０】
本考案において、前記中心軸の先端が、前記撹拌部の先端位置よりも突出されているのが好ましい（第２考案）。
【考案の効果】
【００１１】
本考案においては、適量の味噌が撹拌部によってかき取られ、この撹拌部が鍋中の汁の中に直接突入される。その後、撹拌部の先端を鍋底に押し当てるような状態で取っ手を軸線方向に沿って往復運動（上下運動）させることにより、螺子機構の運動方向変換作用によって撹拌部が中心軸の軸線回りに中心軸と共に回転される。この際、撹拌部に取り込まれている味噌は撹拌子に設けられた環状の味噌保持部によって保持される。このため、撹拌部の回転運動時に撹拌部から味噌が塊状で脱落するのを防止することができる。したがって、特許文献１に係る味噌溶き具では必要であった作業、つまりお玉の中で予め味噌を溶くような作業は不要であり、ただ一つの用具（味噌混ぜ器）のみで鍋中の汁に味噌を容易かつ確実に混ぜ合わせることができる。
【００１２】
第２考案の構成を採用することにより、撹拌部の先端を鍋底に押し当てるような状態で取っ手を軸線方向に沿って往復運動（上下運動）させる際に、撹拌部の先端は鍋底に押し当てられずに中心軸の先端のみが鍋底に押し当てられるので、撹拌部の回転運動の抵抗を低めることができ、よりスムーズに撹拌動作を行うことができる。
【図面の簡単な説明】
【００１３】
【図１】本考案の一実施形態に係る味噌混ぜ器の正面図
【図２】本実施形態の味噌混ぜ器の分解構造説明図
【図３】本実施形態の味噌混ぜ器を用いた味噌混ぜ動作説明図
【考案を実施するための形態】
【００１４】
次に、本考案による味噌混ぜ器の具体的な実施の形態について、図面を参照しつつ説明する。
【００１５】
＜味噌混ぜ器の概略説明＞
図１に示される味噌混ぜ器１は、鍋の中の汁に味噌を溶きほぐして混ぜ合わせる器具であって、取っ手２と、中心軸３と、撹拌部４とを備えて構成されている。
【００１６】
＜取っ手の説明＞
図２に示されるように、取っ手２は、人の手で把持可能な円筒状部材で構成され、中空部２ａを有している。
取っ手２の基端部（上端部）には、その開口を塞ぐ蓋体として上キャップ５が装着されている。また、取っ手２の先端部（下端部）には、中心軸３が挿通される孔６ａを有する下キャップ６が装着されている。
【００１７】
＜螺子機構の説明＞
取っ手２の中空部２ａには、螺子機構７が設けられている。
螺子機構７は、取っ手２の軸線方向の往復運動（上下運動）を中心軸３の軸線回りの回転運動に変換するものであって、取っ手２の中空部２ａに圧入状態で組み込まれるシリンダ８と、このシリンダ８の内部に組み込まれるピストン９とを備えて構成されている。
シリンダ８において、一端部（下端部）には、中心軸３が挿通される孔１０が形成され、他端部（上端部）には、ピストン９が抜き差し可能な開口１１が形成され、内周部には、軸線方向に沿って比較的大きいピッチの螺旋溝１２が形成され、外周面には、取っ手２の内周面に押し付けられる所要（本例では４つ）の押付突起１３が形成されている。これら押付突起１３により、シリンダ８は、取っ手２の中空部２ａに圧入状態で組み込まれ、取っ手２が軸線方向に往復運動（上下運動）されるに伴いその取っ手２と共に一体となって軸線方向に往復運動（上下運動）される。
ピストン９において、先端から中間部に亘る部分には、中心軸３が嵌め込まれる嵌合穴１４が形成され、先端部外周面には、シリンダ８の螺旋溝１２に係合する所要（本例では４つ）の係合突起１５が円周方向に等間隔で設けられている。
【００１８】
シリンダ８の内部には、スプリング１６が組み込まれている。このスプリング１６において、先端部は、ピストン９の中間部から基端部に亘る部分に外側から嵌め込まれるように取り付けられ、基端は、取っ手２の基端側（上端側）に装着される上キャップ５に押し当てられている。
このスプリング１６は、ピストン９をシリンダ８の先端に向かって押し出す付勢力を与える役目をする。
【００１９】
＜中心軸の説明＞
中心軸３は、取っ手２と同軸を成して配され、その基端部は、下キャップ６の孔６ａおよびシリンダ８の孔１０をそれぞれ通してピストン９の嵌合穴１４に差し込まれている。
【００２０】
＜撹拌部の説明＞
撹拌部４は、中心軸３の先端部において、その中心軸３の軸線回りに放射状に配置される複数（本例では１０本）の撹拌子１７を備えて構成されている。
各撹拌子１７は、線条体を屈曲形成してなるものであり、短辺部１７ａと長辺部１７ｂと斜辺部１７ｃとを有し、短辺部１７ａと長辺部１７ｂとが直角を成す直角三角形状で、短辺部１７ａを中心軸３の先端側に、斜辺部１７ｃを中心軸３のラジアル方向にそれぞれ向けて配され、長辺部１７ｂがハブ１８を介して中心軸３に固着されている。
各撹拌子１７において、短辺部１７ａと斜辺部１７ｃとの交わりの角部には、撹拌部４の回転方向Ｒと直交する方向で撹拌部４の内側に位置するように円環状の味噌保持部１７ｄが屈曲形成されている。
【００２１】
ここで、撹拌部４は、例えば４人分の味噌汁を作るのに必要な量の味噌を１度で掻き取ることができる大きさに設定されており、計量器の役目も兼ねるものである。
【００２２】
＜中心軸と撹拌部との配置関係の説明＞
中心軸３と撹拌部４とにおいては、中心軸３の先端が、撹拌部４の先端位置よりも先の位置にΔＴだけ突出するような配置関係に設定されている。
【００２３】
＜作用効果の説明＞
以上に述べたように構成される味噌混ぜ器１による味噌混ぜ動作は、以下の通りである。
まず、味噌が収容されている容器から味噌を撹拌部４で掻き取る。
次いで、図３に示されるように、撹拌部４で掻き取った味噌Ｍを撹拌部４と共に鍋１９中の汁２０の中に直接突入させる。
次いで、中心軸３の先端を鍋底１９ａに押し当てた状態で、取っ手２を軸線方向に沿って上下に往復運動させる。なお、この取っ手２の上下往復運動において、取っ手２の押込み動作の際に、スプリング１６に弾性反発力が蓄えられるため、取っ手２の引上げ動作は主としてその弾性反発力によって行われ、特に力を必要とせずに半自動的に行われる。
【００２４】
取っ手２の上下往復運動に伴い、シリンダ８がその取っ手２と共に一体となって上下往復運動される。シリンダ８の螺旋溝１２とピストン９の係合突起１５との係合により、シリンダ８の上下往復運動がピストン９の正逆回転運動に変換され、ピストン９に装着された中心軸３と共に撹拌部４がその中心軸３の軸線回りに正逆回転運動される。この際、撹拌部４に取り込まれている味噌Ｍは撹拌子１７に設けられた味噌保持部１７ｄによって保持される。このため、撹拌部４の回転運動時に撹拌部４から味噌Ｍが塊状で脱落するのを防止することができる。したがって、ただ一つの用具（味噌混ぜ器１）のみで鍋１９中の汁２０に味噌Ｍを容易かつ確実に混ぜ合わせることができる。
【００２５】
また、中心軸３の先端が、撹拌部４の先端位置よりも先の位置にΔＴだけ突出するような配置関係に設定されているので、撹拌部４の回転運動時に、撹拌部４の先端は鍋底１９ａに押し当てられずに中心軸３の先端のみが鍋底１９ａに押し当てられることになり、撹拌部４の回転運動の抵抗を低めることができて、よりスムーズに撹拌動作を行うことができる。
【００２６】
以上、本考案の味噌混ぜ器について、一実施形態に基づいて説明したが、本考案は上記実施形態に記載した構成に限定されるものではなく、その趣旨を逸脱しない範囲において適宜その構成を変更することができるものである。
【００２７】
例えば、上記の実施形態においては、撹拌子１７が直角三角形状のものを例示したが、これに限定されるものではなく、直角三角形状以外の三角形状や四角形状、半円形状、楕円形状のものなど任意の形状を選択することができる。
また、撹拌子１７における味噌保持部１７ｄが円環状のものを例示したが、これに限定されるものではなく、三角形状、四角形状等の多角形状や、楕円形状のものなど任意の形状を選択することができ、味噌保持部１７ｄの大きさも比較的小さいものから比較的大きいものまで任意に設定可能である。
【産業上の利用可能性】
【００２８】
本考案の味噌混ぜ器は、ただ一つの用具のみで鍋中の汁に味噌を容易かつ確実に混ぜ合わせることができるという特性を有していることから、味噌汁や味噌鍋等の調理の際における味噌の溶かし込みの用途に好適に用いることができる。
【符号の説明】
【００２９】
１        味噌混ぜ器
２        取っ手
２ａ      中空部
３        中心軸
４        撹拌部
７        螺子機構
１７      撹拌子
１７ｄ    味噌保持部
【図１】
0003179069.tif 000003
【図２】
0003179069.tif 000004
【図３】
0003179069.tif 000005